(57)【要約】【課題】本発明は、ユーザー中心の高速アプリケーションアクセス方法を提供する。【解決手段】本発明は、移動通信端末機における高速アプリケーションアクセス方法であって、ユーザーにより特定アプリケーションが選択されると、少なくとも一つ以上のアプリケーションがウィジェットタイプに配置される特定アプリケーション実行画面を表示するステップと、ウィジェットタイプのアプリケーションの何れか一つに対し、ズームインが入力されるか否かを判断するステップと、判断の結果、ズームインが入力されたウィジェットタイプのアプリケーションを当該アプリケーションを実行するための画面に拡大表示するステップとを含む。【選択図】図２
2007251920.tif 000002
【特許請求の範囲】
【請求項１】
移動通信端末機における高速アプリケーションアクセス方法であって、
ユーザーにより特定アプリケーションが選択されると、少なくとも一つ以上のアプリケーションがウィジェットタイプに配置される前記特定アプリケーション実行画面を表示するステップと、
前記ウィジェットタイプのアプリケーションの何れか一つに対し、ズームインが入力されるか否かを判断するステップと、
前記判断の結果、ズームインが入力されたウィジェットタイプのアプリケーションを当該アプリケーションを実行するための画面に拡大表示するステップと
を含むことを特徴とする、移動通信端末機における高速アプリケーションアクセス方法。
【請求項２】
前記特定アプリケーション実行画面には、ユーザーの選好度が高いメニューに該当するアプリケーションが、小型の窓に具現されるウィジェットタイプに配置されることを特徴とする、請求項１に記載の移動通信端末機における高速アプリケーションアクセス方法。
【請求項３】
前記ユーザーの入力により、前記特定アプリケーション実行画面に表示される客体選択のためのＧＩＤカーソルを移動させるステップと、
前記移動されたＧＩＤカーソルが、前記何れか一つのアプリケーション上に位置する場合、現在の前記何れか一つのアプリケーションに前記ＧＩＤカーソルが移動されたことを報知するために、前記何れか一つのアプリケーションを活性化するステップと
をさらに含むことを特徴とする、請求項１に記載の移動通信端末機における高速アプリケーションアクセス方法。
【請求項４】
前記拡大表示するステップは、前記何れか一つのアプリケーションが活性化された状態で、前記ユーザーによりズームインが入力される場合、前記何れか一つのアプリケーションを実行するためのウィジェット領域を拡大表示することを特徴とする、請求項３に記載の移動通信端末機における高速アプリケーションアクセス方法。
【請求項５】
前記アプリケーションの活性化は、前記ＧＩＤカーソルが位置したアプリケーションの色変化によりなされることを特徴とする、請求項３に記載の移動通信端末機における高速アプリケーションアクセス方法。
【請求項６】
前記ＧＩＤカーソルは、ロールオーバー機能に基づいて動作することを特徴とする、請求項３に記載の移動通信端末機における高速アプリケーションアクセス方法。
【請求項７】
前記ユーザーにより選択された特定アプリケーションが電話帳アプリケーションである場合、前記電話帳アプリケーション実行画面は、
名前が表示される名前フィールドと、
前記名前に対応する電話番号が表示される電話番号フィールドと、
電話番号の追加及び削除のための少なくとも一つ以上のボタンと、
多数のウィジェットタイプのアプリケーションと
からなることを特徴とする、請求項１に記載の移動通信端末機における高速アプリケーションアクセス方法。
【請求項８】
前記電話帳アプリケーション実行画面の何れか一つのフィールドに、客体選択のためのＧＩＤカーソルが位置した状態で、通話接続キーが入力されると、通話接続を遂行するステップをさらに含むことを特徴とする、請求項７に記載の移動通信端末機における高速アプリケーションアクセス方法。
【請求項９】
前記ズームインが入力されたウィジェットタイプのアプリケーションを拡大表示した状態で、前記ユーザーによりズームアウトが入力されるか否かを判断するステップと、
前記判断の結果、ズームアウトが入力される場合、前記拡大したアプリケーションを元のサイズ及び位置に縮小するステップと
をさらに含むことを特徴とする、請求項１に記載の移動通信端末機における高速アプリケーションアクセス方法。
【請求項１０】
移動通信端末機における高速アプリケーションアクセス装置であって、
ユーザーにより特定アプリケーションが選択されると、少なくとも一つ以上のアプリケーションがウィジェットタイプに配置される前記特定アプリケーション実行画面を表示するように制御し、前記ウィジェットタイプのアプリケーションの何れか一つに対し、ズームインが入力されるか否かを判断して、ズームインが入力されたウィジェットタイプのアプリケーションが表示される領域を拡大表示するように制御する制御部と、
前記制御部の制御の下で前記特定アプリケーション実行画面を表示し、前記ズームインが入力されたウィジェットのアプリケーションを拡大表示する表示部と
を含むことを特徴とする、移動通信端末機における高速アプリケーションアクセス装置。
【請求項１１】
前記特定アプリケーション実行画面には、ユーザーの選好度が高いメニューに該当するアプリケーションが小型の窓に具現されたウィジェットタイプに配置されることを特徴とする、請求項１０に記載の移動通信端末機における高速アプリケーションアクセス装置。
【請求項１２】
前記制御部は、前記ユーザーの入力により、前記特定アプリケーション実行画面に表示される客体選択のためのＧＩＤカーソルを移動させ、前記移動されたＧＩＤカーソルが、前記何れか一つのアプリケーション上に位置する場合、現在の前記何れか一つのアプリケーションに前記ＧＩＤカーソルが移動されたことを報知するために、前記何れか一つのアプリケーションを活性化することを特徴とする、請求項１０に記載の移動通信端末機における高速アプリケーションアクセス装置。
【請求項１３】
前記ＧＩＤカーソルは、ロールオーバー機能に基づいて動作することを特徴とする、請求項１２に記載の移動通信端末機における高速アプリケーションアクセス装置。
【請求項１４】
前記制御部は、前記ズームインが入力されたウィジェットタイプのアプリケーションが拡大表示された状態で、前記ユーザーによりズームアウトが入力されるか否かを判断して、ズームアウトが入力される場合、前記拡大したアプリケーションを元のサイズ及び位置に縮小することを特徴とする、請求項１０に記載の移動通信端末機における高速アプリケーションアクセス装置。
【請求項１５】
複数のアプリケーションシンボルが表示された画面を提供するステップと、
前記複数のアプリケーションシンボルのうち、特定のアプリケーションシンボルを選択するステップと、
ズームインキーの入力を繰返して、前記選択されたアプリケーションシンボルが段階的に拡大されながら、アプリケーションシンボルに含まれた内容が拡大表示されるステップと、
ズームアウトキーの入力を繰返して、前記拡大表示されるアプリケーションシンボルが段階的に縮小されながら、元の画面に復帰されるステップと
を含むことを特徴とする、移動通信端末機における高速アプリケーションアクセス方法。
【請求項１６】
前記特定のアプリケーションシンボルを選択するステップは、前記特定のアプリケーションシンボルにポインタを位置させることを特徴とする、請求項１５に記載の移動通信端末機における高速アプリケーションアクセス方法。
【請求項１７】
前記拡大表示されたアプリケーションシンボル内にデータ入力フィールド及びサブアプリケーションシンボルが含まれることを特徴とする、請求項１５に記載の移動通信端末機における高速アプリケーションアクセス方法。
【請求項１８】
前記データ入力フィールドにデータを入力した後、前記ズームアウトキーを押下すると、前記アプリケーションシンボルが縮小されながら、入力したデータが格納されることを特徴とする、請求項１７に記載の移動通信端末機における高速アプリケーションアクセス方法。
【発明の詳細な説明】
【技術分野】
【０００１】
本発明は、移動通信端末機におけるアプリケーションアクセス方法に関し、特に、ユーザーの選好度が高いアプリケーションを容易且つ簡便にアクセスできる、移動通信端末機における高速アプリケーションアクセス方法に関する。
【背景技術】
【０００２】
移動通信端末機は、技術の発展に伴い、既存の単純な音声通信機能だけでなく、インターネット、文字サービス、マルチメディア機能等のような多様な機能に対応する。さらに、マルチメディアやカメラ機能等のような多様なサービス及び付加機能の拡大化と共に、移動通信端末機の画面も拡大されながら、カラー数も継続的に増加している。また、ユーザーの要求は、以前とは比較出来ない程度に多様且つ精密になることにより、移動通信端末機の画面空間をより効率良く利用し、多様な方法にて活用する必要がある。また、このような活用では、ユーザーの多様な欲求を満足させると同時に、ユーザーの便宜性が優先されるべきである。
【０００３】
通常、移動通信端末機は、ユーザーデータの処理及びユーザーの欲求に従う多様な機能を遂行するが、このために使用される方法としては、メニュー選択入力に従う当該機能の動作を遂行するようにする方法がある。これは、所定の機能に該当するメニューを指定した後、所定の要求された入力により指定されたメニューが表示され、ユーザーが当該メニューを選択すると、選択されたメニューに従う所定の機能が遂行されるようにする過程を介してなされる。さらに、最近は、各メニューをアイコン化し、ユーザーが所望のアイコンを選択した後、そのアイコン選択に従う機能が遂行されるようにする方法により、メニュー選択による機能遂行方法をなしている。これは、ユーザーの便宜をより増大させるために提案された方法である。
【０００４】
ところが、通常の移動通信端末機では、各機能の実行はアプリケーションで構成されているため、一つのアプリケーションで機能を追加するために他のアプリケーションに移動する場合、メニューなどを介した階層的移動が発生することになる。これにより、ユーザーが所望の機能を検索するには、上位メニューから下位メニューに移動する過程が必要である。しかしながら、移動通信端末機において提供されるメニューが多様化するにつれ、ユーザーは所望のメニューを検索するために上位メニューから多くの段階を経て下位メニューに移動する面倒さが発生し得る。さらに、ユーザーデータを中心としてメニューが構成されるものではなく、アプリケーション別にメニューが構成されるため、インターフェースがインタラプトされ得る。例えば、ユーザーが相手にメッセージを送るために当該メニューを検索した後、相手とのスケジュールを確認するために再度現在メニューから逸脱してスケジュールメニューを確認する面倒な過程を経なければならない。
【特許文献１】韓国特許出願公開第２００３−８３４０４号公報明細書（発明の名称：携帯用端末機のズーム画面表示装置及び方法）
【発明の開示】
【発明が解決しようとする課題】
【０００５】
前述したように、従来のメニュー構成は、類似な機能を持つアプリケーション別に構成される。これにより、ユーザーデータを中心としてインターフェースが構成される必要があり、その表示においてもユーザーの便宜が考慮されるべきである。
【０００６】
よって、本発明の目的は、ユーザー中心のインターフェースを具現することで、各アプリケーションを容易且つ簡便にアクセスできる、移動通信端末機における高速アプリケーションアクセス方法を提供することにある。
【課題を解決するための手段】
【０００７】
前記目的を達成するために、本発明は、移動通信端末機における高速アプリケーションアクセス方法であって、ユーザーにより特定アプリケーションが選択されると、少なくとも一つ以上のアプリケーションがウィジェットタイプに配置される前記特定アプリケーション実行画面を表示するステップと、前記ウィジェットタイプのアプリケーションの何れか一つに対し、ズームインが入力されるか否かを判断するステップと、判断の結果、ズームインが入力されたウィジェットタイプのアプリケーションを当該アプリケーションを実行するための画面に拡大表示するステップとを含むことを特徴とする。
【０００８】
また、本発明は、移動通信端末機における高速アプリケーションアクセス装置であって、ユーザーにより特定アプリケーションが選択されると、少なくとも一つ以上のアプリケーションがウィジェットタイプに配置される前記特定アプリケーション実行画面を表示するように制御し、前記ウィジェットタイプのアプリケーションの何れか一つに対し、ズームインが入力されるか否かを判断して、ズームインが入力されたウィジェットタイプのアプリケーションが表示される領域を拡大表示するように制御する制御部と、前記制御部の制御の下で前記特定アプリケーション実行画面を表示し、前記ズームインが入力されたウィジェットタイプのアプリケーションを拡大表示する表示部とを含むことを特徴とする。
【０００９】
また、本発明は、複数のアプリケーションシンボルが表示された画面を提供するステップと、前記複数のアプリケーションシンボルのうち、特定のアプリケーションシンボルを選択するステップと、ズームインキーの入力を繰返して、前記選択されたアプリケーションシンボルが段階的に拡大されながら、アプリケーションシンボルに含まれた内容が拡大表示されるステップと、ズームアウトキーの入力を繰返して、前記拡大表示されたアプリケーションシンボルが段階的に縮小されながら、元の画面に復帰するステップとを含むことを特徴とする。
【発明の効果】
【００１０】
本発明によれば、移動通信端末機において新規なメニュー構成及び移動方法を提示することで、アプリケーションの使用の際、ユーザーに動的な楽しみ及び高級ユーザーのための高速アクセス方式を提供でき、さらに、３次元空間上でメニューを使用するような感じをユーザーに提供できる。
【００１１】
また、本発明は、メニュー間の階層的移動なしに、一つの画面で簡便に他のアプリケーションを実行できることで、所望のメニューへの経路を画期的に短縮できる。さらに、ズームインを介して所望のアプリケーションに高速にアクセスでき、ズームアウト機能を介して元の状態に復帰することで、各アプリケーションへのアクセス性及び移動性が容易になる。
【発明を実施するための最良の形態】
【００１２】
以下、本発明の好適な実施形態について添付図面を参照しながら詳細に説明する。図面において、同一の構成要素に対しては、同一の参照符号を付いたことに留意すべきである。また、下記の説明において、本発明の要旨のみを明瞭にするために、公知の機能や構成についての具体的な説明は適宜省略する。
【００１３】
本発明は、ユーザー中心の高速アプリケーションアクセス方式を提供する。このために、本発明は、特定アプリケーションが実行される一つの画面に、少なくとも一つ以上の他のアプリケーションをウィジェット(widget)タイプに配置する。多様な機能のミニアプリケーションを意味するウィジェットタイプのアプリケーションは、画面上に小型の窓に具現されたもので、当該アプリケーションにカーソルが位置した状態でズームイン(zoom in)が入力される場合、拡大表示されるように構成される。これにより、ユーザーは、各メニュー間の階層ナビゲーション(hierarchical navigation)を行うことなく、特定アプリケーションが実行される画面で所望のアプリケーションにすぐ進入できる。
【００１４】
前述したような機能が具現された移動通信端末機の構成要素及び動作を、図１を参照して説明する。図１は、本発明が適用される移動通信端末機に対する一実施形態の構成図である。
【００１５】
図１によれば、本発明が適用される移動通信端末機は、制御部１００、表示部１１０、ユーザーインターフェース１２０及びメモリ１３０からなる。
【００１６】
制御部１００は、移動通信端末機を全般的に制御するが、特に、本発明によるウィジェットタイプのアプリケーションを、表示部１１０を介して出力するように制御する。
【００１７】
具体的に、制御部１００は、メニュー画面で何れか一つのメニューアイテムが選択されると、選択されたメニューアイテムに対応するアプリケーションを実行するための画面を、表示部１１０を介して出力するように制御する。このとき、このアプリケーション実行画面には、ユーザーの選好度が高いメニューに該当するアプリケーションがウィジェットタイプに配置される。このようなウィジェットタイプの各アプリケーションは、当該アプリケーションがどのような機能を持つかが分かるように名前付きウィンドウに具現されたり、当該アプリケーションの内容を報知するために記号、絵、アイコンなどに具現されることができる。これにより、本発明は、メニュー間の階層的移動なしに、一つの画面で所望のメニューへの経路を画期的に短縮できる。
【００１８】
一方、画面に表示される多様な機能のミニアプリケーションは、次のような方式により実行される。ユーザーは、所望のウィジェットタイプのアプリケーション、すなわち、ウィジェット項目をズームイン機能を用いて選択する。これにより、制御部１００は、当該ウィジェットタイプのアプリケーションに対するズームインの要求が入力されると、そのアプリケーションが表示される小型の窓、すなわち、ウィジェット領域が拡大表示されるように制御する。このように、拡大表示されたウィジェット領域にも、ユーザーの選好度が高いメニューに対するアプリケーションがウィジェットタイプに配置されることができる。このウィジェットタイプに配置されるアプリケーションは、移動通信端末機に含まれた多様な機能のミニアプリケーションであって、メーンメニューに対応するアプリケーション、現在実行されるアプリケーションデータ処理に係る動作のためのアプリケーションなど、そのアプリケーションの内容に対しては多様な種類に提供可能である。
【００１９】
一方、このようなアプリケーション実行画面でウィジェットタイプの当該アプリケーションなど全ての客体選択のために、本発明ではグラフィック入力装置(graphic Input Device：以下、「ＧＩＤ」と称する。)カーソルを付加する。ここで、ＧＩＤカーソルは、表示部１１０上に表示される客体選択のためのカーソルであって、マウスカーソルのように動作して十字形態を持つ。このＧＩＤカーソルは、ロールオーバー(Roll over)機能に基づいて動作するが、本発明でのロールオーバー機能は、表示部１１０上に表示される各情報フィールド、イメージ、ボタン、ウィジェット領域などの特定部分上にＧＩＤカーソルを位置させたり触れる場合、当該部分の枠色が変化したり、陰影で表示する機能を言う。これにより、制御部１００は、ユーザーにより画面上のＧＩＤカーソルが移動すると、移動した位置にあるフィールド、イメージ、ボタン、ウィジェット領域を変化させて表示する。ここで、情報フィールドは、当該アプリケーションの実行に従うデータが表示されるフィールドを言う。
【００２０】
画面に表示される各アプリケーションは、当該ウィジェット領域上にＧＩＤカーソルが位置した状態で、ユーザーによるズームインの要求が入力されると、そのウィジェット領域が拡大表示され、ユーザーによるズームアウトの要求が入力されると、拡大されたウィジェット領域が元のサイズ及び位置に復帰される。このように、本発明は、移動通信端末機における新規なメニュー構成及び移動方法を提示することで、アプリケーションの使用の際、ユーザーに動的な楽しみを与えることができ、高速アクセス方式を提供できる。
【００２１】
表示部１１０は、制御部１００の制御の下で、ユーザーインターフェース１２０から入力されたキー入力データに対する表示データを入力されて表示したり、端末機の動作状態及び多数の情報をアイコン及び文字で表示する。また、表示部１１０は、制御部１００の制御の下で、ユーザーにより必要な機能が設定又は駆動されることで、その状態が可視的に分かる。また、本発明が適用される表示部１１０は、特定アプリケーション実行画面において、ユーザーがメニュー間の階層的移動なしに、すぐ他のアプリケーションが実行できるようにするウィジェット領域を、ユーザーのズームイン又はズームアウトの入力により拡大又は縮小させて表示する。また、本発明の他の実施形態では、表示部１１０がタッチスクリーン形態で構成される場合、ユーザーインターフェース１２０のようにユーザーからのウィジェットタイプのアプリケーションに対する移動及び選択などに対する制御信号を制御部１００に伝達する役割を遂行する。もし、表示部１１０がタッチスクリーンで具現される場合には、タッチスクリーン上に表示された多数の数字キー、機能キー及び方向キー等は、スタイラスペンなどの入力道具により選択又は入力できる。
【００２２】
ユーザーインターフェース１２０は、多数の数字キー及び機能キーを備え、ユーザーが選択するキーに対応する入力データを制御部１００に出力する。また、本発明の実施形態により、ユーザーインターフェース１２０は、多様なウィジェットタイプのアプリケーションに対応する各ウィジェット領域を拡大又は縮小させるためのズームインキー又はズームアウトキーを含む。このようなズームインキー又はズームアウトキーは、ユーザーインターフェース１２０上に別に具備されたり、既存の他の機能を遂行するための機能キーにより具現可能である。或いは、予めマッピングされたキーの組合せにより具現可能である。
【００２３】
メモリ１３０は、多数のプログラム及びデータを格納するためのＲＯＭ(Read Only Memory)やＲＡＭ(Random Access Memory)などからなるが、特に、本発明の実施形態により、特定アプリケーション実行画面の表示対象アプリケーション項目に対するデータなどを格納する。
【００２４】
前述したような機能が具現された移動通信端末機において、ユーザー中心の高速アプリケーションアクセス方式を提供するための画面構成は、図２に示すようである。図２は、本発明による電話帳アプリケーション実行画面に対する例示図である。図２では、電話帳アプリケーション実行画面において関連ウィジェットタイプのアプリケーションに対して例示しているが、本発明の内容がここに限定されるものではない。すなわち、アプリケーション実行画面上に提供されるウィジェットタイプのアプリケーションは、ユーザー又はサービス提供者、端末機製造業者などの選択により、これを変更することが可能である。
【００２５】
図２に示す電話帳アプリケーション実行画面は、名前が表示される名前フィールドと、入力された名前に対応する電話番号が表示される電話番号フィールドと、電話番号の追加及び削除のためのボタンと、ユーザーの選好度が高いウィジェットタイプのアプリケーション２１０、２２０、２３０、２４０と、画面上の全ての客体を選択するための手段であるＧＩＤカーソル２００とを提供する。
【００２６】
まず、図２では、ＧＩＤカーソル２００が電話番号フィールド上に位置する場合、その電話番号フィールドが活性化された状態を示す。ＧＩＤカーソル２００がその電話番号フィールドから逸脱する場合には非活性化される。このように、電話番号フィールド又は名前フィールドが活性化された状態で、通話接続キーが入力されると、すぐ通話接続が試みられる。このとき、活性化状態か非活性化状態かを示すために、ＧＩＤカーソルが、特定客体上に位置する場合には当該客体を明るい色に表示し、その客体上から逸脱する場合には暗い色に表示する。すなわち、ＧＩＤカーソルの移動に応じて当該客体の枠色を変化させたり、当該客体を陰影で変化させることで、現在どの客体が活性化されているかをユーザーに報知する。
【００２７】
ウィジェットタイプのコールアプリケーション２１０は、通話のためのウィジェットであって、ＧＩＤカーソル２００がそのアプリケーション上に位置する場合に活性化され、活性化された状態でユーザーによりズームインが入力される場合、そのアプリケーションを実行するために拡大表示される。このような方式により、メッセージ作成のためのメッセージアプリケーション２２０、スケジュール管理のためのスケジュール管理アプリケーション２３０及びイベント管理のためのイベントアプリケーション２４０などのウィジェットも、ズームインの入力により当該アプリケーションを実行するために拡大表示され、ズームアウトの入力により元のサイズ及び位置に縮小ディスプレイされる。
【００２８】
前述した過程をより具体的に説明するために、各ウィジェットタイプのアプリケーション選択に従う実行画面である図３Ａ〜図３Ｃを参照する。図３Ａ〜図３Ｃは、本発明の実施形態によるウィジェットタイプのアプリケーション実行に従う画面例示図である。
【００２９】
図３Ａは、図２のコールアプリケーション２１０が選択された場合の画面例示図であって、ユーザーの入力により、ＧＩＤカーソルがコールアプリケーション２１０に移動した状態で、ズームインが入力されると、通話機能が遂行される場合を例示する。図３Ａでは、通話の相手方の名前及び電話番号が表示されながら、発信中であることを報知する画面が出力される場合を例示しているが、コールログ(call log)情報が表示される等、通話機能の遂行のための多様な画面が出力されることもできる。
【００３０】
図３Ｂは、図２のメッセージアプリケーション２２０が選択された場合の画面例示図であって、メッセージを発送する対象フィールドに図２の名前フィールドの内容が表示され、その対象にメッセージを作成し得る入力窓が表示される場合を例示する。図２のメッセージアプリケーション２２０は、ユーザーの入力によりＧＩＤカーソルがメッセージアプリケーション２２０上に位置した状態で、ズームインが入力されると、図４に示す方式により、ウィジェット領域が拡大表示されて全体画面に表示される。これとは反対に、拡大されたウィジェット領域は、ズームアウトが入力されると、ウィジェットタイプ、すなわち、元のサイズ及び位置に復帰される。また、図３Ｃは、図２のイベントアプリケーション２３０が選択された場合の画面例示図であって、電話帳アプリケーション画面においてウィジェットタイプのイベントアプリケーション２２０をズームインすると、イベントの入力又は確認画面が表示される場合を例示する。このように、ウィジェットタイプのアプリケーションが表示されるウィジェット領域は、ズームイン又はズームアウトが可能な領域であり、これにより、ユーザーは所望のアプリケーションをすぐ用いることができる。
【００３１】
一方、ユーザー中心の高速アプリケーションアクセス方式を提供するための過程を説明するために、図５を参照する。図５は、本発明の実施形態による高速アプリケーションアクセス方法を示すフローチャートである。
【００３２】
図５によれば、制御部１００は、段階Ｓ５００において、ユーザーの方向キーの入力等により、特定アプリケーション実行画面上の全ての客体を選択できるＧＩＤカーソルを移動させ、段階Ｓ５１０において、移動したウィジェット項目に対してロールオーバー効果を出力する。これは、どのウィジェット項目が現在活性化されているかを、当該ウィジェット項目の領域色を変化させてユーザーに報知するためのものである。これにより、移動したＧＩＤカーソルがウィジェット項目のいずれか一つのアプリケーション上に位置する場合、現在のアプリケーションにＧＩＤカーソルが移動されたことを報知するために、前記アプリケーションを活性化させる。
【００３３】
続いて、制御部１００は、段階Ｓ５２０において、ＧＩＤカーソルを移動させて当該ウィジェット項目を活性化させた後、移動したウィジェット項目でズームインが入力されたか否かを判断する。ズームインが入力された場合、段階Ｓ５３０において、図４に示すような方式により、ウィジェット項目を実行するためのウィジェット領域を拡大表示する。すなわち、ズームインの要求が入力されたウィジェットタイプのアプリケーションを当該アプリケーションを実行するための画面に拡大表示する。その後、所望のウィジェット項目に対応するアプリケーション遂行が終了すると、ユーザーは、ズームアウトにより、拡大されたウィジェット領域を元のサイズ及び位置に復帰させることができる。
【００３４】
なお、本発明の詳細な説明では具体的な実施形態について説明したが、本発明の要旨から逸脱しない範囲内で多様に変形できる。よって、本発明の範囲は、前述の実施形態に限定されるものではなく、特許請求の範囲の記載及びこれと均等なものに基づいて定められるべきである。
【図面の簡単な説明】
【００３５】
【図１】本発明が適用される移動通信端末機に対する一実施形態の構成図である。
【図２】本発明による電話帳アプリケーション実行画面に対する例示図である。
【図３Ａ】本発明の実施形態によるウィジェットタイプのアプリケーション実行画面に対する例示図である。
【図３Ｂ】本発明の実施形態によるウィジェットタイプのアプリケーション実行画面に対する例示図である。
【図３Ｃ】本発明の実施形態によるウィジェットタイプのアプリケーション実行画面に対する例示図である。
【図４】本発明の実施形態によるズームイン機能を説明するための図である。
【図５】本発明の実施形態による高速アプリケーションアクセス方法を示すフローチャートである。
【符号の説明】
【００３６】
２００  ＧＩＤカーソル
２１０  コールアプリケーション
２２０  メッセージアプリケーション
２３０  スケジュール管理アプリケーション
２４０  イベントアプリケーション
【図１】
2007251920.tif 000003
【図４】
2007251920.tif 000004
【図５】
2007251920.tif 000005
【図２】
2007251920.tif 000006
【図３Ａ】
2007251920.tif 000007
【図３Ｂ】
2007251920.tif 000008
【図３Ｃ】
2007251920.tif 000009